(57)【要約】【課題】各種機能、紙幣の受入精度の選択および受入禁止の選択等の各種設定の変更、および制御ソフトウェアの書き換えを容易に行うことが可能な紙葉類処理装置および方法を提供する。【解決手段】紙葉類が識別部１４に搬送されると、識別部１４は紙葉類を識別し、紙葉類をＩＣシートであると識別した場合、ＩＣシートが保留部１５に搬送され、アンテナ１６はＩＣシートに埋設されたＩＣチップにアクセスし、ＩＣチップ内に予め記憶されている情報を読み出し、アンテナ制御部１７は読み出した情報の種類を確認し、その情報が設定情報である場合、制御部９は設定記憶部１９に記憶保持されている設定情報をＩＣシートから読み出した設定情報に書き換え、また、その情報が制御ソフトウェアである場合、制御部９は制御ソフトウェア記憶部１８に記憶保持されている制御ソフトウェアをＩＣシートから読み出した制御ソフトウェアに書き換える。【選択図】  図２
2005099916.tif 000002
【特許請求の範囲】
【請求項１】
自動販売機に挿入された紙幣およびＩＣを内蔵したＩＣシートを含む紙葉類の処理を行う紙葉類処理装置であって、
前記ＩＣシートが有する特徴に基づき、該ＩＣシートを識別する識別手段と、
前記識別手段によりＩＣシートと識別された場合、前記ＩＣシートに対して情報の読み取り若しくは書き込みの処理を行う情報読取書込み手段と、
前記情報読取書込み手段が読み取った情報の内容を解析する情報解析手段と、
前記情報解析手段で解析した情報の内容に基づき、該情報の処理を行う情報処理手段と
を具備し、
前記情報処理手段は、
前記情報解析手段により前記情報読取書込み手段で読み取った情報が、前記紙幣を処理する際の各種機能に対する設定情報であると解析された場合、該解析された設定情報に基づいて該各種機能の設定を変更する
ことを特徴とする紙葉類処理装置。
【請求項２】
前記識別手段は、
前記自動販売機に挿入された紙葉類の特徴を取得する特徴取得手段
を具備し、
前記特徴取得手段で取得した特徴に基づき、前記紙葉類が前記紙幣であるか前記ＩＣシートであるかを識別する
ことを特徴とする請求項１記載の紙葉類処理装置。
【請求項３】
前記特徴取得手段は、
前記自動販売機に挿入された紙葉類の表面の画像を取得する光学的センサであり、
前記識別手段は、
前記光学的センサで取得した紙葉類の表面の画像に前記ＩＣシートが有する特徴模様が存在するか否か解析し、
前記画像に前記特徴模様が存在する場合、前記ＩＣシートであると識別し、
前記画像に前記特徴模様が存在しない場合、前記紙幣であると識別し、該画像に基づいて該紙幣の金種を識別する
ことを特徴とする請求項２記載の紙葉類処理装置。
【請求項４】
前記自動販売機に挿入されたＩＣシートを保留する保留手段
を更に具備し、
前記保留手段には前記情報読取書込み手段が配置され、
前記情報読取書込み手段は、
前記保留手段に保留されているＩＣシートに対して情報の読み取り若しくは書き込みの処理を行う
ことを特徴とする請求項１記載の紙葉類処理装置。
【請求項５】
前記情報処理手段は、
前記情報解析手段により前記情報読取書込み手段で読み取った情報が前記紙幣および前記ＩＣシートの処理を制御する制御ソフトウェアを示すプログラム情報であると解析された場合、該解析されたプログラム情報を該制御ソフトウェアとして変更する
ことを特徴とする請求項１記載の紙葉類処理装置。
【請求項６】
前記設定情報は、
前記各種機能に対する設定値、前記紙幣を識別する際の正偽判定基準値、および各種タイマー値である
ことを特徴とする請求項１記載の紙葉類処理装置。
【請求項７】
前記情報処理手段は、
前記情報解析手段により前記情報読取書込み手段で読み取った情報が前記自動販売機を制御する制御情報であると解析された場合、該解析された制御情報を該自動販売機に送信する
ことを特徴とする請求項１記載の紙葉類処理装置。
【請求項８】
前記制御情報は、
前記自動販売機の扉の開閉の制御および電源の制御、該自動販売機における商品販売に関する制御、受け入れ硬貨若しくは紙幣の制御、タイマー機能の制御を指示する
ことを特徴とする請求項７記載の紙葉類処理装置。
【請求項９】
自動販売機に挿入された紙幣およびＩＣを内蔵したＩＣシートを含む紙葉類の処理を行う紙葉類処理方法であって、
前記ＩＣシートが有する特徴に基づき、該ＩＣシートを識別し、
前記識別の結果がＩＣシートである場合、前記ＩＣシートに記憶保持された情報を読み取り、
該読み取った情報の内容を解析し、
該解析した情報が前記紙幣を処理する際の各種機能に対する設定情報であると解析された場合、該解析された設定情報に基づいて該各種機能の設定を変更する
ことを特徴とする紙葉類処理方法。
【請求項１０】
前記識別は、
前記自動販売機に挿入された紙葉類の特徴を取得し、
該取得した特徴に基づき、前記紙葉類が前記紙幣であるか前記ＩＣシートであるかを識別する
ことを特徴とする請求項９記載の紙葉類処理方法。
【請求項１１】
前記識別は、
前記自動販売機に挿入された紙葉類の表面の画像を光学的センサが取得し、
該取得した紙葉類の表面の画像に前記ＩＣシートが有する特徴模様が存在するか否か解析し、
前記画像に前記特徴模様が存在する場合、前記ＩＣシートであると識別し、
前記画像に前記特徴模様が存在しない場合、前記紙幣であると識別し、該画像に基づいて該紙幣の金種を識別する
ことを特徴とする請求項１０記載の紙葉類処理方法。
【請求項１２】
前記自動販売機に挿入されたＩＣシートを保留し、
該保留されているＩＣシートに対して情報の読み取り若しくは書き込みの処理を行う
ことを特徴とする請求項９記載の紙葉類処理方法。
【請求項１３】
前記解析した情報が前記紙幣および前記ＩＣシートの処理を制御する制御ソフトウェアを示すプログラム情報であると解析された場合、該解析されたプログラム情報を該制御ソフトウェアとして変更する
ことを特徴とする請求項９記載の紙葉類処理方法。
【請求項１４】
前記設定情報は、
前記各種機能に対する設定値、前記紙幣を識別する際の正偽判定基準値、および各種タイマー値である
ことを特徴とする請求項９記載の紙葉類処理方法。
【請求項１５】
前記解析した情報が前記自動販売機を制御する制御情報であると解析された場合、該解析された制御情報を該自動販売機に送信する
ことを特徴とする請求項９記載の紙葉類処理方法。
【請求項１６】
前記制御情報は、
前記自動販売機の扉の開閉の制御および電源の制御、該自動販売機における商品販売に関する制御、受け入れ硬貨若しくは紙幣の制御、タイマー機能の制御を指示する
ことを特徴とする請求項１５記載の紙葉類処理方法。
【発明の詳細な説明】
【技術分野】
【０００１】
本発明は、紙葉類処理装置および方法に関し、特に、シート状のものにＩＣを内蔵したＩＣシートを用いて自動販売機および自動販売機に搭載された紙葉類処理装置の制御を行うことができるようにした紙葉類処理装置および方法に関する。
【背景技術】
【０００２】
一般に、自動販売機に投入された紙幣を処理する紙幣処理装置には、予め紙幣処理装置に設けられた設定スイッチを操作することで、紙幣の受入精度の選択および受入禁止の選択等を設定することができる。また、これらの各種設定に基づいて紙幣処理装置全体を制御する制御ソフトウェアの書き換え若しくはバージョンアップ等の変更は、制御ソフトウェアを記憶するＲＯＭにフラッシュＲＯＭを用いることで、容易に行うことができる。
【０００３】
例えば、自動販売機の各種の制御データを確認、変更するための操作履歴を自動販売機制御装置内に記憶しておき、その操作履歴を用いて制御データの確認、および変更作業を行うことによって、自動販売機 の操作要員の負荷を少なくすることができる自動販売機制御装置がある（例えば、特許文献１参照。）。
【特許文献１】特開２００１−６０２８２号公報
【発明の開示】
【発明が解決しようとする課題】
【０００４】
しかし、市場で稼動している自動販売機に対して、各種設定の変更等を行う場合、自動販売機の管理者は販売を一時停止し、自動販売機の扉を開けて紙幣処理装置の設定スイッチを操作しなければならなかった。また、設定スイッチが装置内部に設けられている紙幣処理装置の場合、構成部品の分解等の作業を行わなければならないので、前準備に時間を費やしてしまう。従って、各種設定の変更等を行う際には、全体的な作業に時間が掛かってしまう問題があった。また、設定スイッチの操作方法にも、設定スイッチを操作するだけで切り替わる設定も存在すれば、複数のスイッチを複合操作することで切り替わる設定も存在するため、設定ミス等が発生する可能性が高くなる問題もあった。
【０００５】
同様に、市場で稼動している自動販売機に対して、制御ソフトウェアの変更等を行う場合、自動販売機の管理者は販売を一時停止し、自動販売機の扉を開けて紙幣処理装置にＲＯＭライター等を接続し、制御ソフトウェアの書き換えを行わなければならなかった。また、ＲＯＭライターを接続するためのコネクタ等が装置内部に設けられている紙幣処理装置の場合、構成部品の分解等の作業を行わなければならないので、前準備に時間を費やしてしまう。従って、制御ソフトウェアの変更の際には、全体的な作業に時間が掛かってしまう問題があった。
【０００６】
そこで、本発明は、各種機能、紙幣の受入精度の選択および受入禁止の選択等の各種設定の変更、および制御ソフトウェアの書き換えを容易に行うことが可能な紙葉類処理装置および方法を提供することを目的とする。
【課題を解決するための手段】
【０００７】
上記目的を達成するため、請求項１の発明は、自動販売機に挿入された紙幣およびＩＣを内蔵したＩＣシートを含む紙葉類の処理を行う紙葉類処理装置であって、前記ＩＣシートが有する特徴に基づき、該ＩＣシートを識別する識別手段と、前記識別手段によりＩＣシートと識別された場合、前記ＩＣシートに対して情報の読み取り若しくは書き込みの処理を行う情報読取書込み手段と、前記情報読取書込み手段が読み取った情報の内容を解析する情報解析手段と、前記情報解析手段で解析した情報の内容に基づき、該情報の処理を行う情報処理手段とを具備し、前記情報処理手段は、前記情報解析手段により前記情報読取書込み手段で読み取った情報が、前記紙幣を処理する際の各種機能に対する設定情報であると解析された場合、該解析された設定情報に基づいて該各種機能の設定を変更することを特徴とする。
【０００８】
なお、識別手段は図２に示す識別部に対応し、情報読取書込み手段は図２に示すアンテナに対応し、情報解析手段は図２に示すアンテナ制御部に対応し、情報処理手段は図２に示す制御部に対応する。
【０００９】
また、請求項２の発明は、請求項１の発明において、前記識別手段は、前記自動販売機に挿入された紙葉類の特徴を取得する特徴取得手段を具備し、前記特徴取得手段で取得した特徴に基づき、前記紙葉類が前記紙幣であるか前記ＩＣシートであるかを識別することを特徴とする。
【００１０】
なお、特徴取得手段は識別部が有する磁気的センサまたは光学的センサ等である。
【００１１】
また、請求項３の発明は、請求項２の発明において、前記特徴取得手段は、前記自動販売機に挿入された紙葉類の表面の画像を取得する光学的センサであり、前記識別手段は、前記光学的センサで取得した紙葉類の表面の画像に前記ＩＣシートが有する特徴模様が存在するか否か解析し、前記画像に前記特徴模様が存在する場合、前記ＩＣシートであると識別し、前記画像に前記特徴模様が存在しない場合、前記紙幣であると識別し、該画像に基づいて該紙幣の金種を識別することを特徴とする。
【００１２】
また、請求項４の発明は、請求項１の発明において、前記自動販売機に挿入されたＩＣシートを保留する保留手段を更に具備し、前記保留手段には前記情報読取書込み手段が配置され、前記情報読取書込み手段は、前記保留手段に保留されているＩＣシートに対して情報の読み取り若しくは書き込みの処理を行うことを特徴とする。
【００１３】
なお、保留手段は図２に示す保留部に対応する。
【００１４】
また、請求項５の発明は、請求項１の発明において、前記情報処理手段は、前記情報解析手段により前記情報読取書込み手段で読み取った情報が前記紙幣および前記ＩＣシートの処理を制御する制御ソフトウェアを示すプログラム情報であると解析された場合、該解析されたプログラム情報を該制御ソフトウェアとして変更することを特徴とする。
【００１５】
また、請求項６の発明は、請求項１の発明において、前記設定情報は、前記各種機能に対する設定値、前記紙幣を識別する際の正偽判定基準値、および各種タイマー値であることを特徴とする。
【００１６】
また、請求項７の発明は、請求項１の発明において、前記情報処理手段は、前記情報解析手段により前記情報読取書込み手段で読み取った情報が前記自動販売機を制御する制御情報であると解析された場合、該解析された制御情報を該自動販売機に送信することを特徴とする。
【００１７】
また、請求項８の発明は、請求項７の発明において、前記制御情報は、前記自動販売機の扉の開閉の制御および電源の制御、該自動販売機における商品販売に関する制御、受け入れ硬貨若しくは紙幣の制御、タイマー機能の制御を指示することを特徴とする。
【００１８】
また、請求項９の発明は、自動販売機に挿入された紙幣およびＩＣを内蔵したＩＣシートを含む紙葉類の処理を行う紙葉類処理方法であって、前記ＩＣシートが有する特徴に基づき、該ＩＣシートを識別し、前記識別の結果がＩＣシートである場合、前記ＩＣシートに記憶保持された情報を読み取り、該読み取った情報の内容を解析し、該解析した情報が前記紙幣を処理する際の各種機能に対する設定情報であると解析された場合、該解析された設定情報に基づいて該各種機能の設定を変更することを特徴とする。
【００１９】
また、請求項１０の発明は、請求項９の発明において、前記識別は、前記自動販売機に挿入された紙葉類の特徴を取得し、該取得した特徴に基づき、前記紙葉類が前記紙幣であるか前記ＩＣシートであるかを識別することを特徴とする。
【００２０】
また、請求項１１の発明は、請求項１０の発明において、前記識別は、前記自動販売機に挿入された紙葉類の表面の画像を光学的センサが取得し、該取得した紙葉類の表面の画像に前記ＩＣシートが有する特徴模様が存在するか否か解析し、前記画像に前記特徴模様が存在する場合、前記ＩＣシートであると識別し、前記画像に前記特徴模様が存在しない場合、前記紙幣であると識別し、該画像に基づいて該紙幣の金種を識別することを特徴とする。
【００２１】
また、請求項１２の発明は、請求項９の発明において、前記自動販売機に挿入されたＩＣシートを保留し、該保留されているＩＣシートに対して情報の読み取り若しくは書き込みの処理を行うことを特徴とする。
【００２２】
また、請求項１３の発明は、請求項９の発明において、前記解析した情報が前記紙幣および前記ＩＣシートの処理を制御する制御ソフトウェアを示すプログラム情報であると解析された場合、該解析されたプログラム情報を該制御ソフトウェアとして変更することを特徴とする。
【００２３】
また、請求項１４の発明は、請求項９の発明において、前記設定情報は、前記各種機能に対する設定値、前記紙幣を識別する際の正偽判定基準値、および各種タイマー値であることを特徴とする。
【００２４】
また、請求項１５の発明は、請求項９の発明において、前記解析した情報が前記自動販売機を制御する制御情報であると解析された場合、該解析された制御情報を該自動販売機に送信することを特徴とする。
【００２５】
また、請求項１６の発明は、請求項１５の発明において、前記制御情報は、前記自動販売機の扉の開閉の制御および電源の制御、該自動販売機における商品販売に関する制御、受け入れ硬貨若しくは紙幣の制御、タイマー機能の制御を指示することを特徴とする。
【発明の効果】
【００２６】
本発明によれば、シート状のものにＩＣを内蔵したＩＣシートを採用することで、自動販売機の扉を開けることなく、紙葉類処理装置の各種機能、正貨判定基準値および各種タイマー値等の各種設定の変更、制御ソフトウェアの書き換え、および自動販売機の制御を行うことができるので、作業性が向上させることが可能になり、更に、自動販売機の販売の一時停止時間を短縮することができるので、商品販売の機会を増やすことが可能になり、更に、ＩＣシートを挿入するだけなので、作業ミスが発生する可能性を低下させることが可能になるという効果を奏する。
【発明を実施するための最良の形態】
【００２７】
以下、本発明に係わる紙葉類処理装置および方法の実施の形態について添付図面を参照して詳細に説明する。なお、本発明に係わる紙葉類処理装置が自動販売機に組み込まれている構成を実施例として説明する。また、実施例では、シート状のものにＩＣが内蔵され、紙幣と類似した形状で、幅寸法および厚さは紙幣とほぼ同等であるが、長さについては紙幣の長さに関与せず任意の長さであるものをＩＣシートとして説明するが、形状等については特に限定しない。
【００２８】
図１は、自動販売機１の構成の一例を示すブロック図である。
【００２９】
図１に示すように、自動販売機１は、自動販売機の主制御装置２、硬貨処理装置３、紙葉類処理装置４、商品払出制御装置５、パネル表示装置６、キー入力装置７から構成されている。
【００３０】
ここで、自動販売機の主制御装置２は、自動販売機１全体の制御および処理等を行うとともに、シリアル通信バス８を介して接続された硬貨処理装置３、紙葉類処理装置４、商品払出制御装置５、パネル表示装置６、キー入力装置７を制御する。また、紙葉類処理装置４に挿入された紙幣またはＩＣシートの金額情報、および硬貨処理装置３に投入された硬貨の金額情報を入力し、入力した金額情報と商品の販売価格とを比較して、商品払出制御装置５に商品の払出指示を出力する。
【００３１】
また、硬貨処理装置３は、投入された硬貨を識別し、材質および形状等に基づいて正偽および金種を識別し、硬貨の金額情報を算出し、算出した金額情報を自動販売機の主制御装置２に出力するとともに、収金等の硬貨処理を行う。
【００３２】
また、紙葉類処理装置４は、挿入された紙幣およびＩＣシートを識別し、紙幣であると識別した場合、紙幣の印刷模様等に基づいて正偽および金種を識別し、紙幣の金額を演算し、算出した金額情報を自動販売機の主制御装置２に出力するとともに、収金等の紙幣処理を行い、また、ＩＣシートであると識別した場合、ＩＣシートに埋設されたＩＣチップへの情報の読み出しおよび書き込みを行う。
【００３３】
また、商品払出制御装置５は、自動販売機の主制御装置２からの指示に基づいて商品の搬送および払い出し等の制御を行う。
【００３４】
また、パネル表示装置６は、商品展示用パネルディスプレイの表示等を制御する。
【００３５】
また、キー入力装置７は、自動販売機１の各種設定を入力するためのキー等である。
【００３６】
図２は、紙葉類処理装置４の機能的な構成の一例を示すブロック図である。
【００３７】
図２に示すように、紙葉類処理装置４は、紙葉類処理装置４全体の制御を行う制御部９、紙葉類の挿入口である紙葉類挿入部１０、紙葉類を搬送する紙葉類搬送部１１、紙葉類を受け入れる紙葉類受入部１２、制御部９からの制御により紙葉類搬送部１１を駆動させる駆動部１３、識別部１４、保留部１５、アンテナ１６、アンテナ制御部１７、制御ソフトウェア記憶部１８、設定記憶部１９から構成されている。
【００３８】
ここで、識別部１４は、紙葉類挿入部１０から挿入された紙葉類が紙幣であるかＩＣシートであるかを識別し、識別結果を制御部９に出力し、更に、識別結果が紙幣である場合、識別した紙幣の金種も判定し、判定した金種を制御部９に出力する。なお、ＩＣシートには、識別部１４がＩＣシートであることを識別できる模様（例えば、印刷、透かし等）が設けられ、識別部１４はその模様を識別することができるセンサとして磁気センサまたは光学センサ等を有している。
【００３９】
また、保留部１５は、紙葉類挿入部１０から挿入された紙葉類を保留する。
【００４０】
また、アンテナ１６は、保留部１５に配置され、保留部１５に到達したＩＣシートに対して非接触で、ＩＣシートに埋設されたＩＣチップにアクセスし、ＩＣチップ内に予め記憶されている情報を読み出し、読み出した情報をアンテナ制御部１７に出力する。
【００４１】
また、アンテナ制御部１７は、ＩＣシートが保留部１５に到達すると、アンテナ１６に対してＩＣシートのＩＣチップへの読み出し処理を行わせ、アンテナ１６が読み出した情報を入力すると、入力した情報の種類を確認し、その情報と確認した情報の種類とを制御部９に出力する。
【００４２】
また、制御ソフトウェア記憶部１８は、紙葉類処理装置４全体を制御する制御ソフトウェア等を記憶保持する。
【００４３】
また、設定記憶部１９は、紙葉類処理装置４における紙幣の受入金種の選択、紙幣を識別する際の判定基準値、各種タイマー等の設定情報を記憶保持している。
【００４４】
次に、ＩＣシートを用いた紙葉類処理装置４の各種設定の変更および制御ソフトウェアの書き替えを行う際の紙葉類処理装置４の機能的な動作について説明する。
【００４５】
紙葉類が紙葉類挿入部１０から挿入されると、制御部９は駆動部１３を制御することで紙葉類搬送部１１により紙葉類を搬送し、紙葉類が識別部１４に搬送されると、識別部１４は光学センサにより紙葉類を撮像して紙葉類の画像データを取得し、取得した紙葉類の画像データに基づいて紙葉類が紙幣であるかＩＣシートであるかを識別し、識別結果を制御部９に出力する。なお、識別する際に、識別部９は紙葉類の画像データからＩＣシートである旨を示す模様（例えば、印刷、透かし等）を確認し、その模様が確認された場合、紙葉類がＩＣシートであることを制御部９に出力し、また、その模様が確認されなかった場合、その紙葉類の画像データに基づいて紙葉類の金種を識別し、紙葉類が紙幣であることと紙幣の金種とを制御部９に出力し、制御部９は駆動部１３を制御することで紙幣を紙葉類受入部１２に搬送し、紙幣を受け入れる。また、識別部１４は磁気センサにより紙葉類の磁気的出力データを取得し、取得した紙葉類の磁気的出力データに基づいて紙葉類が紙幣であるかＩＣシートであるかを識別する構成も適用可能である。
【００４６】
識別部１４が紙葉類をＩＣシートであると識別した場合、ＩＣシートが保留部１５に搬送されると、制御部９は駆動部１３を制御することでＩＣシートの搬送を一時停止し、アンテナ１６はＩＣシートに埋設されたＩＣチップにアクセスし、ＩＣチップ内に予め記憶されている情報を読み出し、読み出した情報をアンテナ制御部１７に出力し、アンテナ制御部１７は情報を入力すると、入力した情報の種類を確認する。
【００４７】
その情報が紙葉類処理装置４の設定情報である場合、アンテナ制御部１７は設定情報と設定情報である旨とを制御部９に出力し、制御部９は設定情報と設定情報である旨とを入力すると、設定記憶部１９に記憶保持されている設定情報をＩＣシートから読み出した設定情報に書き換える。
【００４８】
また、その情報が紙葉類処理装置４の制御ソフトウェアである場合、アンテナ制御部１７は制御ソフトウェアと制御ソフトウェアである旨とを制御部９に出力し、制御部９は制御ソフトウェアと制御ソフトウェアである旨とを入力すると、制御ソフトウェア記憶部１８に記憶保持されている制御ソフトウェアをＩＣシートから読み出した制御ソフトウェアに書き換える。
【００４９】
そして、設定情報若しくは制御ソフトウェアの書き換えの処理が終了すると、制御部９は駆動部１３を制御することでＩＣシートを紙葉類挿入部１０に搬送し、ＩＣシートを返却する。なお、書き換えの処理が終了した際に、書き換えの処理の終了を自動販売機の主制御装置２に通知し、自動販売機の主制御装置２がパネル表示装置６の表示を制御することで、処理の終了をユーザに知らせる構成、変更した設定情報等をユーザに知らせる構成および変更した制御ソフトウェアのバージョン情報等をユーザに知らせる構成を適用しても良い。
【００５０】
例えば、設定情報の変更として、特発的な偽造紙幣への対応により、ある金種の紙幣を一時的に受入禁止にする選択、金庫内の紙幣の枚数の変更、または紙幣を識別する際の正偽判定基準値の設定等をＩＣシートを用いて変更することができる。また、制御ソフトウェアの書き換えとして、特発的な偽造紙幣への対応により紙幣を識別する際の正偽判定方法の改良、新たな正偽判定方法の追加、または制御ソフトウェアのバージョンアップ等をＩＣシートを用いて変更することができる。
【００５１】
次に、ＩＣシートを用いた紙葉類処理装置４の各種設定の変更および制御ソフトウェアの書き換えを行う際の紙葉類処理装置４の処理手順について図３に示すフローチャートを参照して説明する。
【００５２】
紙葉類が挿入され（ステップＳ３０１）、紙葉類を識別する（ステップＳ３０２）。
【００５３】
ＩＣシートであると識別された場合（ステップＳ３０３でＹＥＳ）、ＩＣシートの情報を読み出す（ステップＳ３０４）。
【００５４】
読み出した情報が設定情報である場合（ステップＳ３０５でＹＥＳ）、読み出した設定情報に基づいて設定情報を変更し（ステップＳ３０６）、変更が終了すると、ＩＣシートを返却し（ステップＳ３０７）、処理手順を終了する。
【００５５】
また、ステップＳ３０５において、読み出した情報が制御ソフトウェアである場合（ステップＳ３０５でＮＯ）、読み出した制御ソフトウェアに基づいて制御ソフトウェアを書き換え（ステップＳ３０８）、書き換えが終了すると、ＩＣシートを返却し（ステップＳ３０７）、処理手順を終了する。
【００５６】
また、ステップＳ３０３において、紙幣であると識別された場合（ステップＳ３０３でＮＯ）、通常の紙幣受入処理を行い（ステップＳ３０９）、処理手順を終了する。
【００５７】
従って、自動販売機１の管理者は自動販売機１を開閉することなく、ＩＣシートを紙葉類処理装置４に挿入するだけで、紙葉類処理装置４の各種機能、紙幣の受入精度の選択および受入禁止の選択等の各種設定の変更、および制御ソフトウェアの書き換えを容易に行うことができる。
【００５８】
上記実施例では、ＩＣシートを用いて紙葉類処理装置４の設定情報の変更および制御ソフトウェアの書き換えを行う構成について説明してきたが、本発明に係わる紙葉類処理装置４はＩＣシートを用いて自動販売機１の制御を行う構成も適用可能である。
【００５９】
次に、ＩＣシートを用いて自動販売機１の制御を行う際の紙葉類処理装置４の機能的な動作について説明する。
【００６０】
紙葉類が紙葉類挿入部１０から挿入されると、制御部９は駆動部１３を制御することで紙葉類搬送部１１により紙葉類を搬送し、紙葉類が識別部１４に搬送されると、識別部１４は光学センサにより紙葉類を撮像して紙葉類の画像データを取得し、取得した紙葉類の画像データに基づいて紙葉類が紙幣であるかＩＣシートであるかを識別し、識別結果を制御部９に出力する。
【００６１】
識別部１４が紙葉類をＩＣシートであると識別した場合、ＩＣシートが保留部１５に搬送されると、制御部９は駆動部１３を制御することでＩＣシートの搬送を一時停止し、アンテナ１６はＩＣシートに埋設されたＩＣチップにアクセスし、ＩＣチップ内に予め記憶されている情報を読み出し、読み出した情報をアンテナ制御部１７に出力し、アンテナ制御部１７は情報を入力すると、入力した情報の種類を確認する。
【００６２】
その情報が自動販売機１の制御情報である場合、アンテナ制御部１７は制御情報と制御情報である旨とを制御部９に出力し、制御部９は制御情報と制御情報である旨とを入力すると、自動販売機の主制御装置２に制御情報を送信し、自動販売機の主制御装置２は制御情報を受信すると、受信した制御情報に基づいて自動販売機１の制御を行う。
【００６３】
そして、自動販売機１の制御が終了すると、自動販売機の主制御装置２は制御が終了した旨を制御部９に送信し、制御部９は制御が終了した旨を受信すると、駆動部１３を制御することでＩＣシートを紙葉類挿入部１０に搬送し、ＩＣシートを返却する。
【００６４】
例えば、自動販売機１の制御として、ある商品を一時的に販売停止にする等の商品払出制御装置５に対する制御、硬貨を一時的に使用中止にする等の硬貨処理装置３に対する制御、暖かい飲料を販売している自動販売機では、飲料を温めるための時間を考慮して、何時間後に暖かい飲料の販売を開始する等のタイマー機能の制御、自動販売機１の電源のＯＮ／ＯＦＦ、扉の開閉の制御等をＩＣシートを用いて容易に制御することができる。
【００６５】
次に、ＩＣシートを用いて自動販売機１の制御を行う際の紙葉類処理装置４の処理手順について図４に示すフローチャートを参照して説明する。
【００６６】
紙葉類が挿入され（ステップＳ４０１）、紙葉類を識別する（ステップＳ４０２）。
【００６７】
ＩＣシートであると識別された場合（ステップＳ４０３でＹＥＳ）、ＩＣシートの情報を読み出す（ステップＳ４０４）。
【００６８】
読み出した情報が自動販売機の制御情報である場合（ステップＳ４０５でＹＥＳ）、読み出した制御情報を自動販売機の主制御装置に送信し（ステップＳ４０６）、自動販売機の主制御装置は受信した制御情報に基づいて自動販売機の制御を実行し（ステップＳ４０７）、自動販売機の制御が終了すると、ＩＣシートを返却し（ステップＳ４０８）、処理手順を終了する。
【００６９】
また、ステップＳ４０５において、読み出した情報が紙葉類処理装置の設定情報若しくは制御ソフトウェアである場合（ステップＳ４０５でＮＯ）、設定情報の変更若しくは制御ソフトウェアの書き換えを行い（ステップＳ４０９）、変更若しくは書き換えが終了すると、ＩＣシートを返却し（ステップＳ４０８）、処理手順を終了する。
【００７０】
また、ステップＳ４０３において、紙幣であると識別された場合（ステップＳ４０３でＮＯ）、通常の紙幣受入処理を行い（ステップＳ４１０）、処理手順を終了する。
【００７１】
従って、自動販売機１の管理者は自動販売機１の扉を開閉することなく、ＩＣシートを紙葉類処理装置４に挿入するだけで、自動販売機１の制御を容易に行うことができる。
【００７２】
なお、上記実施例では、識別部１４が紙葉類の画像データからＩＣシートである旨を示す模様を確認することで、紙葉類がＩＣシートであるか紙幣であるかを識別し、アンテナ制御部１７がＩＣシートから読み出した情報の種類を確認する構成を説明してきたが、識別部１４が紙葉類の画像データからＩＣシートである旨を示す模様を確認することで、紙葉類がＩＣシートであるか紙幣であるかを識別するとともに、ＩＣシートである旨を示す模様を確認できた場合はその模様を識別することで、ＩＣシートに記憶保持されている情報が紙葉類処理装置４の設定情報であるか、紙葉類処理装置４の制御ソフトウェアであるか、自動販売機１の制御情報であるかを識別する構成も適用可能である。
【００７３】
また、上記実施例では、識別部９が挿入された紙葉類が紙幣であるかＩＣシートであるかを識別する構成について説明してきたが、識別部９を設けず、アンテナ１６がＩＣチップにアクセスできるか否かにより、紙葉類が紙幣であるかＩＣシートであるかを識別する構成でも適用可能である。
【００７４】
また、上記実施例では、ＩＣシートに対するアンテナ１６の制御、およびＩＣシートから読み出した情報の種類の確認等を行うアンテナ制御部１７を紙葉類処理装置４に内蔵する構成について説明してきたが、アンテナ制御部１７を紙葉類処理装置４から独立する構成でも適用可能である。
【図面の簡単な説明】
【００７５】
【図１】自動販売機１の構成の一例を示すブロック図である。
【図２】紙葉類処理装置４の機能的な構成の一例を示すブロック図である。
【図３】ＩＣシートを用いた紙葉類処理装置４の各種設定の変更および制御ソフトウェアの書き換えを行う際の紙葉類処理装置４の処理手順を示すフローチャートである。
【図４】ＩＣシートを用いて自動販売機１の制御を行う際の紙葉類処理装置４の処理手順を示すフローチャートである。
【符号の説明】
【００７６】
１    自動販売機
２    自動販売機の主制御装置
３    硬貨処理装置
４    紙葉類処理装置
５    商品払出制御装置
６    パネル表示装置
７    キー入力装置
８    シリアル通信バス
９    制御部
１０    紙葉類挿入部
１１    紙葉類搬送部
１２    紙葉類受入部
１３    駆動部
１４    識別部
１５    保留部
１６    アンテナ
１７    アンテナ制御部
１８    制御ソフトウェア記憶部
１９    設定記憶部
【図１】
2005099916.tif 000003
【図２】
2005099916.tif 000004
【図３】
2005099916.tif 000005
【図４】
2005099916.tif 000006